(57)【特許請求の範囲】
【請求項１】
外側カバーと共に用いるための吸収性インサートであって、この外側カバーが、前部ウエスト部、後部ウエスト部、長手方向中心線、及び前記長手方向中心線に垂直な側面方向中心線を有しており、前記吸収性インサートが、
第一吸収性集成体と；
第二吸収性集成体と；
を備えた吸収性インサートに於いて、
前記吸収性インサートが前記外側カバーに配置された時に、前記第一吸収性集成体と前記第二吸収性集成体とが、前記外側カバーの前記長手方向中心線に平行な少なくとも１つの方向において互いに対して可動であるように、前記吸収性インサートが、前記第一吸収性集成体と前記第二吸収性集成体とをスライド可能に接合するスライド可能な調整部材を含んでおり、
前記スライド可能な調整部材が、前記第一吸収性集成体又は前記第二吸収性集成体のうちの少なくとも１つに形成されているチャンバにスライド可能に接合されており、
前記スライド可能な調整部材が、断続的調節性を与えるために、前記調整部材の運動を制限する抑制要素を含んでおり、前記抑制要素が、断続的調節性を与えるために、前記スライド可能な調整部材上の隆起部と係合する、前記第一吸収性集成体又は前記第二吸収性集成体のうちの少なくとも１つに形成されている前記チャンバ内に配置された隆起部を含んでいる、
ことを特徴とする吸収性インサート。
【請求項２】
前記ウエスト部、後部ウエスト部、長手方向中心線、及び前記長手方向中心線に垂直な側面方向中心線を有する吸収体であって、前記吸収体が、
前記前部ウエスト部の少なくとも一部分に配置されている尿収集ゾーンと、前記後部ウエスト部の少なくとも一部分に配置されている便収集ゾーンとを有するシャシーであって、前記シャシーが、
第一吸収性集成体であって、前記第一吸収性集成体の少なくとも一部分が、前記尿収集ゾーンに配置されているものと；
第二吸収性集成体であって、前記第二吸収性集成体の少なくとも一部分が、前記便収集ゾーンに配置されているものと；
を含んでいるシャシーを備えている吸収体において、
前記吸収体が、前記第一吸収性集成体と前記第二吸収性集成体とが、前記長手方向中心線に平行な少なくとも１つの方向において第一位置から第二位置まで互いに対して可動であるように、前記第一吸収性集成体と前記第二吸収性集成体とを調整可能に接合する調整部材と；
使用中、第一吸収性集成体及び第二吸収性集成体を前記第二位置に保持するための保持部材と、
を含んでいることを特徴とする吸収体。
【請求項３】
前記保持部材が、次の群：機械的留め具、接着剤、ベルト、ピン、タイ、マグネット、及び歯状部から選ばれる保持部材の１つ又はそれ以上含んでいる、請求項２に記載の吸収体。
【請求項４】
前記調整部材が、非吸収性であるか又は非弾性である、請求項２又は３に記載の吸収体。
【請求項５】
前記第一吸収性集成体が、前記第二吸収性集成体とは異なる材料を備えている、請求項２ないし４のいずれか１項に記載の吸収体。
【請求項６】
さらに、前記第一吸収性集成体、前記第二吸収性集成体、又はその両方と接合されている横断方向バリヤーを含んでいる、請求項２ないし５のいずれか１項に記載の吸収体。
【発明の詳細な説明】
【０００１】
（発明の分野）
本発明は、体の排泄物を吸収し、及び／又は封じ込める製品に関する。これらの製品には、吸収体、例えばおむつ、大人の失禁用製品、生理用ナプキン等が含まれる。より詳しくは本発明は、改良されたフィット及び封じ込め特性を与える調整可能な吸収性集成体を有する使い捨て吸収体に関する。
【０００２】
（発明の背景）
吸収体、例えば使い捨ておむつ及び大人用失禁ショーツの主な機能は、体の排泄物を吸収して封じ込めることである。このような製品はまた、体の排泄物が、衣類又は装着者と接触するその他の物、例えば寝具を汚したり、濡らしたり、あるいはまた汚染するのを防ぐためのものである。使い捨ておむつ、例えば１９７５年１月１４日にＫｅｎｎｅｔｈ  Ｂａｒｃｌａｙ  Ｂｕｅｌｌに発行された米国特許第３，８６０，００３号に開示されているものは一般に、トップシート、バックシート、及び吸収性コアを有する。しかしながらこのような構造の有効性にもかかわらず、体の排泄物は漏れることが多く、排泄物が装着者の皮膚に刺激を与えるような方法でおむつに貯蔵される。尿及び便（糞便（ＢＭ））が、有意に異なる物理的性質及び形状を有することは一般に知られているが、現在のおむつは、尿及び便（糞便）の収集及び処理のための形状にされた別々のゾーンを有していない。
【０００３】
様々な便のバリヤーをおむつに組む込むことによって排泄物を分ける試みがなされてはいるが、これらの試みには欠点がある。その理由は、単一の調整不可能な吸収性集成体が、尿と糞便との両方を収集するために用いられているからである。人間はある一定の体重範囲内でさえ、サイズ及び大きさの点でかなり異なっているので（例えば尿道と肛門との間の距離）、互いに対して調整可能な別々の吸収性集成体を備えた尿及び糞便収集ゾーンを備えさせることが有利であることが分かった。
【０００４】
従って調整可能なシャシーを有するおむつを提供することが本発明の１つの目的である。
【０００５】
別々の尿収集ゾーンと便（糞便）収集ゾーンとを有するおむつを提供することが、本発明のさらにもう１つの目的である。
【０００６】
本発明のもう１つの目的は、吸収性集成体間の相対的間隔を調整しうる別々の吸収性集成体を有する別々の尿収集ゾーンと便収集ゾーンとを有するおむつを提供することである。
【０００７】
本発明のさらにもう１つの目的は、装着者の体に対する吸収性集成体の相対位置を調整することができる別々の吸収性集成体を有する、別々の尿収集ゾーンと便収集ゾーンとを有するおむつを提供することである。
【０００８】
本発明のさらにもう１つの目的は、弾性的に調整しうる別々の吸収性集成体に接合された調整部材を提供することである。
【０００９】
本発明のさらにもう１つの目的は、非弾性的に調整しうる別々の吸収性集成体に接合された調整部材を提供することである。
【００１０】
本発明のさらにもう１つの目的は、可逆的に、非弾性的に調整しうる別々の吸収性集成体に接合された調整部材を提供することである。
【００１１】
（発明の概要）
本発明は、前部ウエスト部、後部ウエスト部、長手方向中心線、及び前記長手方向中心線に垂直な側面方向中心線を有する吸収体を目的とする。この吸収体は、前部ウエスト部の少なくとも一部分に配置された尿収集ゾーンと、後部ウエスト部の少なくとも一部分に配置された便収集ゾーンとを有するシャシーを備えている。このシャシーは、第一吸収性集成体を含んでおり、ここにおいてこの第一吸収性集成体の少なくとも一部分は、尿収集ゾーンに位置している。このシャシーはまた、第二吸収性集成体を含んでおり、ここにおいてこの第二吸収性集成体の少なくとも一部分は、便収集ゾーンに位置している。この吸収体はさらに、第一吸収性集成体と第二吸収性集成体が、前記長手方向中心線に対して一般に平行な少なくとも１つの方向において、互いに対して可動であるように、第一吸収性集成体と第二吸収性集成体とを調整可能に接合する調整部材を備えている。
【００１２】
（発明の詳細な説明）
ここで用いられている用語「吸収体」は、体の排泄物を吸収して封じ込める装置のことを言う。より特定すれば、体内から排出された様々な排泄物を吸収して封じ込めるために、装着者の体に、又は体の近くに配置される装置のことを言う。用語「使い捨て」はここでは、洗濯されるか、あるいは吸収体として復元又は再使用されるためのものではない吸収体について記載するために用いられている（すなわちこれらは、ただ一回の使用後に捨てられるか、好ましくはリサイクルされるか、堆肥にされるか、あるいは環境に優しい方法で処分されるものである）。（ここで用いられている用語「配置された」は、おむつの１つ又は複数の要素が、特別な場所又は位置に、おむつの他の要素とのユニット（ｕｎｉｔａｒｙ）構造として、又はおむつの別の要素に接合された別の要素として形成されている（接合及び配置されている）ことを意味するために用いられている。）「ユニット型（ｕｎｉｔａｒｙ）」吸収体とは、統合されて調和した物体を形成する別々の部品から形成され、従って例えば別々のホルダーとライナーのような別々に操作される部品を必要としない吸収体のことを言う。本発明の吸収体の好ましい実施形態は、図１に示されているユニット型使い捨て吸収体、すなわちおむつ２０である。ここで用いられている用語「おむつ」は、一般に装着者の胴体下部の周りに装着される、乳幼児及び失禁者が装着する吸収体のことを言う。しかしながら本発明はまた、その他の吸収体、例えば失禁用ショーツ、失禁用下着、吸収性インサート、おむつホルダーとライナー、女性用衛生衣類等にも適用しうると理解すべきである。
【００１３】
図１は、平らに広げられて非収縮状態にある（すなわち弾性誘発された収縮が引張って広げられている）本発明のおむつ２０の平面図であり、この構造のいくつかの部分は、おむつ２０の構成をより明らかに示すために切り取られており、装着者から離れている方に向いているおむつ２０の部分が、見る人の方に向けられている。図１に示されているように、おむつ２０は好ましくは、液体透過性トップシート２４；トップシート２４に接合された液体不透過性バックシート２６；第一吸収性集成体２８、第二吸収性集成体２９であって、これらの各々が好ましくはトップシート２４とバックシート２６との間に配置されているもの；サイドパネル３０；弾性化レッグカフス３２；弾性ウエスト部材（ｆｅａｔｕｒｅ）３４；及び一般に４０として示されている留め具を備えている。おむつ２０は、図１において、前部ウエスト部３６、前部ウエスト部３６の反対側にある後部ウエスト部３８、及びおむつ２０の外側縁によって画定された周辺部を有するものとして示されている。この周辺部において、長手方向縁５０は、おむつ２０の長手方向中心線１００に一般に平行に延びており、端縁５２は、おむつ２０の側面方向中心線１１０に一般に平行に長手方向縁５０間に延びている。
【００１４】
図１は、おむつ２０の好ましい実施形態を示しており、ここにおいてトップシート２４及びバックシート２６は、第一吸収性集成体２８及び第二吸収性集成体２９のものよりも一般に大きい長さ及び幅のサイズを有する。トップシート２４及びバックシート２６は、好ましくは第一吸収性集成体２８及び第二吸収性集成体２９の縁を越えて延びており、これによっておむつ２０の周辺部が形成されている。おむつ２０のシャシー２２は、おむつ２０の本体を備えている。シャシー２２は、少なくとも１つの吸収性集成体と、好ましくはトップシート２４及びバックシート２６を備えた外側カバー層とを備えている。この吸収体が別々のホルダーとライナーとを備えている時、シャシー２２が一般にホルダーとライナーとを備えている。（例えばホルダーは、この製品の外側カバーを形成するために１つ又はそれ以上の材料層を備えており、ライナーは吸収性複合材料、例えばトップシート、バックシート、及び吸収性集成体を備えている。このような場合、ホルダー及び／又はライナーは、使用の間中ライナーを定位置に保持するために用いられる留め具を含んでいてもよい。）ユニット型吸収体の場合、シャシー２２は、おむつの主構造を備えており、その他の部材が加えられて複合おむつ構造が形成されている。トップシート２４、バックシート２６、及びシャシー２２は、多様なよく知られた形状に組立てられていてもよいが、好ましいおむつ形状は、一般に次の特許に記載されている。すなわち、１９７５年１月１４日にＫｅｎｎｅｔｈ  Ｂ．Ｂｕｅｌｌに発行された、発明の名称が「使い捨ておむつ用の収縮性サイド部分（Ｃｏｎｔｒａｃｔｉｂｌｅ  Ｓｉｄｅ  Ｐｏｒｔｉｏｎｓ  ｆｏｒ  Ｄｉｓｐｏｓａｂｌｅ  Ｄｉａｐｅｒ）」という米国特許第３，８６０，００３号；及び１９９２年９月９日にＢｕｅｌｌに発行された米国特許第５，１５１，０９２号；及び１９９３年６月２２日にＢｕｅｌｌに発行された米国特許第５，２２１，２７４号である。これらの各々は参照してここに組込まれる。
【００１５】
図２は、図１の断面線２−２に沿うおむつ２０の断片横断面図である。図２に示されているように、本発明のおむつ２０の１つの実施形態は、調整部材８０によって調整可能に接合された第一吸収性集成体２８と第二吸収性集成体２９とを含んでいる。（ここで用いられている用語「接合されている」は、要素をもう一方の要素に直接付着させることによって要素がもう一方の要素に直接固定される形状、及びこれ自体がもう一方の要素に付着されている１つ又は複数の中間部材に要素を付着させることによって、要素が間接的にもう１つの要素に固定される形状をも包含する。）図１に示されているように、吸収性集成体２８及び２９は、長手方向縁６０、衣服側表面４５、及び体側表面４７を有している。
【００１６】
好ましい実施形態において、バックシート２６は、液体（尿）不透過性であり、薄いプラスチックフィルムを備えている。但しその他の柔軟性液体不透過性材料を用いてもよい。（フィルム及びその他の適切なバックシート材料について言うためにここで用いられている用語「柔軟性」は、柔軟で、人体の一般的形状及び輪郭に沿いやすい材料のことを言う。バックシート２６は一般に、吸収性集成体２８及び２９の中に吸収されて封じ込められた排泄物が、おむつ２０と接触する物、例えばベッドシーツ及び下着を濡らすのを防ぐ。従ってバックシート２６は、織布又は不織布材料、ポリマーフィルム、例えばポリエチレン又はポリプロピレンの熱可塑性フィルム、又は複合材料、例えばフィルムコート不織布材料を備えていてもよい。好ましくはバックシートは、厚さが約０．０１２ｍｍ（０．５ミル）〜約０．０５１ｍｍ（２．０ミル）の熱可塑性フィルムである。バックシートに特に好ましい材料には、インディアナ州テール・オート（Ｔｅｒｒｅ  Ｈａｕｔｅ，ＩＮ）のトレデガー・インダストリーズ社（Ｔｒｅｄｅｇａｒ  Ｉｎｄｕｓｔｒｉｅｓ，Ｉｎｃ．）によってそれぞれ商品名ＲＲ８２２０及びＲＲ５４７５として製造されているブローンフィルム及びキャストフィルムが含まれる。バックシート２６は、より布様の外見を与えるためにエンボス及び／又はマット仕上げされていてもよい。さらにはバックシート２６は好ましくは、蒸気をおむつ２０から逃がすことができる一方で、排泄物がバックシート２６を通過するのをも防ぐ（すなわちバックシートは通気性がある）。
【００１７】
バックシート２６又はこれのどの部分も、１つ又はそれ以上の方向において弾性的延伸性があってもよい。１つの実施形態において、バックシート２６は、構造弾性様フィルム（ＳＥＬＦ）ウエブを備えていてもよい。構造弾性様フィルムウエブは、追加の弾性材料を用いずに伸び方向において弾性様挙動を示す延伸性材料である。ＳＥＬＦウエブは、少なくとも２つの隣接した別々の不同部位を有する歪可能ネットワーク（ｓｔｒａｉｎａｂｌｅ  ｎｅｔｗｏｒｋ）を含んでいる。好ましくは、これらの部位の１つは、もう一方の部位の実質的な部分が、加えられた伸びに対して有意な抵抗力を発生させる前に、予め決められている軸に平行な方向に、加えられる軸方向の伸びに応じて抵抗力を示すような形状にある。これらの部位の少なくとも１つは、この材料が非張力状態にある間に、予め決められている軸に実質的に平行に測定された時にもう一方の部位のものよりも大きい表面経路長さを有する。長い方の表面経路長さを示す部位は、もう一方の部位の平面を越えて延びている１つ又はそれ以上の変形を含んでいる。ＳＥＬＦウエブは、予め決められた軸に平行な方向に加えられた伸びに付された時、少なくとも１つの予め決められている軸に沿った伸びに対して制御された抵抗力の少なくとも２つの有意に異なる段階を示す。ＳＥＬＦウエブは、ウエブの伸びが、長い方の表面経路長さを有する部位の実質的な部分を、加えられた伸びの平面に入れるのに十分なものになるまで、加えられた伸びに対して第一抵抗力を示し、そこで、ＳＥＬＦウエブはさらなる伸びに対して第二抵抗力を示す。伸びに対する総抵抗力は、第一部位によって与えられる伸びに対する第一抵抗力よりも高い。本発明に適したＳＥＬＦウエブは、次の特許により完全に記載されている。すなわち、１９９６年５月２１日にＣｈａｐｐｅｌｌらに発行された、発明の名称が「弾性様挙動を示すウエブ材料（Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈｅｖｉｏｒ）」という米国特許第５，５１８，８０１号であり、この特許は参照してここに組込まれる。別の実施形態において、バックシート２６は、エラストマーフィルム、フォーム、ストランド、又はこれらの材料又はその他の適切な材料と不織布又は剛性フィルムとの組合わせを備えていてもよい。
【００１８】
バックシート２６は一般に、吸収性集成体の衣服側表面４５の少なくとも一部分に隣接して配置されており、好ましくは接着手段７０、例えばこの技術でよく知られているものによってこれに接合されている。例えばバックシート２６は、均一連続接着剤層、パターン接着剤層、又は一列の別々の接着剤線、螺旋、又はスポットによって吸収性集成体の１つ又はそれ以上に固定されていてもよい。１つの好ましい接着手段は、１９８６年３月４日にＭｉｎｅｔｏｌａらに発行された、発明の名称が「使い捨て排泄物封じ込め衣類（Ｄｉｓｐｏｓａｂｌｅ  Ｗａｓｔｅ−Ｃｏｎｔａｉｎｍｅｎｔ  Ｇａｒｍｅｎｔ）」という米国特許第４，５７３，９８６号に開示されているような接着剤フィラメントのオープンパターンネットワークを備えているものである。より好ましくは接着手段は、次の特許に示されている装置及び方法によって例証されているように、渦巻き状に螺旋パターンにされたいくつかの接着剤フィラメント線を含んでいるものである。これらの特許とは、１９７５年１０月７日にＳｐｒａｇｕｅ  Ｊｒ．に発行された米国特許第３，９１１，１７３号；１９７８年１１月２２日にＺｉｅｋｅｒらに発行された米国特許第４，７８５，９９６号；及び１９８９年６月２７日にＷｅｒｅｎｉｃｚに発行された米国特許第４，８４２，６６６号である。これらの特許の各々の開示は、参照してここに組込まれる。満足すべきことが分かっている接着剤は、ミネソタ州セントポール（Ｓｔ．Ｐａｕｌ，Ｍｉｎｎｅｓｏｔａ）のエイチ・ビー・フラー社（Ｈ．Ｂ．Ｆｕｌｌｅｒ  Ｃｏｍｐａｎｙ）によって製造され、ＨＬ−１２５８として販売されているものである。あるいはまた接着手段は、熱接着、圧力接着、超音波接着、動的機械的接着、あるいはこの技術で知られているその他のあらゆる適切な接着手段又はこれらの接着手段の組合わせを備えていてもよい。
【００１９】
トップシート２４は、好ましくは吸収性集成体の体側表面４７に隣接した位置にあり、好ましくはこの技術でよく知られているもののような接着手段（図示されていない）によって吸収性集成体及びバックシート２６に接合されている。適切な接着手段は、バックシート２６をおむつ２０のその他の要素に接合するための手段に関して記載されているものである。本発明の１つの好ましい実施形態において、トップシート２４及びバックシート２６は、いくつかの位置において互いに直接接合されており、これらをおむつ２０のその他の要素に直接接合させることによって他の位置において間接的に互いに接合されている。
【００２０】
トップシート２４は、好ましくは柔軟で感触が柔らかく、装着者の皮膚に刺激を与えない。さらにはトップシート２４は、好ましくは液体透過性であり、液体（例えば尿）がその厚さを容易に透過することができる。適切なトップシート２４は、広い範囲の材料から製造することができる。例えば多孔質フォーム；網状化フォーム；開口プラスチックフィルム；又は天然繊維（例えば木材繊維又は綿繊維）、合成繊維（例えばポリエステル又はポリプロピレン繊維）、あるいは天然繊維と合成繊維との組合わせの織布及び不織布ウエブから製造されてもよい。好ましくはトップシート２４は、吸収性集成体に含じ込められた液体から装着者の皮膚を隔離するために疎水性材料からできている。トップシート２４を製造するために用いることができるいくつかの製造技術がある。例えばトップシート２４は、スパンボンド、カード、ウエットレイ、メルトブローン、ハイドロエンタングルされた繊維の不織布ウエブ、前記の組合わせ等であってもよい。１つの好ましいトップシート２４は、ステープル長さのポリプロピレン繊維のウエブを備えている。例えばマサチューセッツ州ウオルポール（Ｗａｌｐｏｌｅ，Ｍａｓｓａｃｈｕｓｅｔｔｓ）のインターナショナル・ペーパー・カンパニーの一部門であるベラテック社（Ｖｅｒａｔｅｃ，Ｉｎｃ．，ａ  Ｄｉｖｉｓｉｏｎ  ｏｆ  Ｉｎｔｅｒｎａｔｉｏｎａｌ  Ｐａｐｅｒ  Ｃｏｍｐａｎｙ）によってＰ−８という名称で製造されたものである。
【００２１】
このおむつ２０は好ましくはさらに、改良されたフィット及び封じ込めを与えるのを助ける少なくとも１つの弾性ウエスト部材（ｆｅａｔｕｒｅ）３４を備えている。弾性ウエスト部材３４は、装着者のウエストに動的にフィットするように弾性的に伸縮させるためのものである。弾性ウエスト部材３４は、好ましくは吸収性集成体のうちの１つの少なくともウエスト縁６２から少なくとも長手方向に外側に延びており、一般におむつ２０の端縁５２の少なくとも一部分を形成する。しかしながら使い捨ておむつは一般に、次のような２つの弾性ウエスト部材を有するように構成されている。すなわち１つが前部ウエスト部３６に、１つが後部ウエスト部３８に配置されているものである。さらには弾性ウエスト部材３４又はその構成要素のどれも、おむつ２０に付着された別の要素を備えていてもよいが、弾性ウエスト部材３４は、好ましくはおむつ２０の他の要素、例えばバックシート２６、トップシート２４、又はバックシート２６とトップシート２４との両方の延長部として構成されている。
【００２２】
弾性ウエスト部材３４は、いくつかの様々な形状に組立てられていてもよい。これらの形状には、１９８５年５月７日にＫｉｅｖｉｔらに発行された米国特許第４，５１５，５９５号及び１９９２年９月９日にＢｕｅｌｌに発行された前記引例の米国特許第５，１５１，０９２号；及び１９９３年６月２２日にＢｕｅｌｌに発行された米国特許第５，２２１，２７４号が含まれ、これらの引例の各々は、参照してここに組込まれる。
【００２３】
おむつ２０は好ましくはまた、留め具装置４０を備えている。留め具装置４０は、好ましくは前部ウエスト部３６及び後部ウエスト部３８を、重なり合った形状に維持し、おむつ２０を装着者に保持するためにおむつ２０円周の周りに側面方向の張力を与えるようにする。留め具装置４０は、好ましくはテープタブ及び／又はフックとループ留め具要素を備えている。但し、その他のあらゆる既知の手段も一般に許容しうる。留め具装置の例は次の特許に開示されている。すなわち、１９８９年７月１１日にＳｃｒｉｐｐｓに発行された、発明の名称が「改良留め具装置を有する使い捨ておむつ（Ｄｉｓｐｏｓａｂｌｅ  Ｄｉａｐｅｒ  Ｈａｖｉｎｇ  Ａｎ  Ｉｍｐｒｏｖｅｄ  Ｆａｓｔｅｎｉｎｇ  Ｄｅｖｉｃｅ）」という米国特許第４，８４６，８１５号；１９９０年１月１６日にＮｅｓｔｅｇａｒｄに発行された、発明の名称が「改良フック留め具部分を備えた使い捨ておむつ（Ｄｉｓｐｏｓａｂｌｅ  Ｄｉａｐｅｒ  Ｗｉｔｈ  Ｉｍｐｒｏｖｅｄ  Ｈｏｏｋ  Ｆａｓｔｅｎｅｒ  Ｐｏｒｔｉｏｎ）」という米国特許第４，８９４，０６０号；１９９０年８月７日にＢａｔｔｒｅｌｌに発行された、発明の名称が「感圧接着剤留め具及びその製造方法（Ｐｒｅｓｓｕｒｅ−Ｓｅｎｓｉｔｉｖｅ  Ａｄｈｅｓｉｖｅ  Ｆａｓｔｅｎｅｒ  Ａｎｄ  Ｍｅｔｈｏｄ  ｏｆ  Ｍａｋｉｎｇ  Ｓａｍｅ）」という米国特許第４，９４６，５２７号；１９７４年１１月１９日にＢｕｅｌｌに発行された、発明の名称が「使い捨ておむつ用テープ留め具装置（Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ）」という米国特許第３，８４８，５９４号；１９８７年５月５日にＨｉｒｏｔｓｕらに発行された、発明の名称が「吸収体（Ａｂｓｏｒｂｅｎｔ  Ａｒｔｉｃｌｅ）」という米国特許第Ｂ１  ４，６６２，８７５号；及び１９９２年９月９日にＢｕｅｌｌに発行された前記引例の米国特許第５，１５１，０９２号；及び１９９３年６月２２日にＢｕｅｌｌに発行された米国特許第５，２２１，２７４号である。これらの特許の各々は、参照してここに組込まれる。
【００２４】
おむつ２０はまた、サイドパネル３０を含んでいてもよい。サイドパネル３０は、おむつ２０を装着者の形に合うように当初からフィットさせ、おむつ２０に排泄物が負荷されたずっと後でも装着の間中このフィットを持続させることによって、より快適で輪郭に合ったフィットを与えるために弾性又は延伸性があるものであってもよい。これは、弾性化サイドパネル３０によって、おむつのサイド部２０を伸縮させることができるからである。サイドパネル３０はまた、おむつ２０のより効果的な装着を与えることができる。その理由は、おむつを装着させる人が、装着させている間、１つの弾性化サイドパネル３０をもう一方のものよりも多く引張った場合でさえ（非対称に）、おむつ２０は装着中に「自己調整」するものだからである。
【００２５】
本発明のおむつ２０は好ましくは、後部ウエスト部３８に配置されたサイドパネル３０を有するが、このおむつ２０には、前部ウエスト部３６に配置されているか、又は前部ウエスト部３６と後部ウエスト部３８との両方に配置されているサイドパネル３０が備えられていてもよい。サイドパネル３０は、あらゆる適切な形状に構成されていてもよい。弾性化サイドパネルを備えたおむつの例は、次の特許に開示されている。すなわち、１９８９年８月１５日にＷｏｏｄらに発行された、発明の名称が「シャーリングされた耳部を有する使い捨ておむつ（Ｄｉｓｐｏｓａｂｌｅ  Ｄｉａｐｅｒ  Ｈａｖｉｎｇ  Ｓｈｉｒｒｅｄ  Ｅａｒｓ）」という米国特許第４，８５７，０６７号；１９８３年５月３日Ｓｃｉａｒａｆｆａらに発行された米国特許第４，３８１，７８１号；１９９０年７月３日にＶａｎ  Ｇｏｍｐｅｌらに発行された米国特許第４，９３８，７５３号；１９９２年９月９日にＢｕｅｌｌに発行された前記引例の米国特許第５，１５１，０９２号；及び１９９３年６月２２日にＢｕｅｌｌに発行された米国特許第５，２２１，２７４号；１９９３年１１月１９日にＲｏｂｌｅｓらの名前で出願された、発明の名称が「多方向延伸性サイドパネルを備えた吸収体（Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ）」という米国特許出願番号第０８／１５５，０４８号である。これらの特許の各々は、参照してここに組込まれる。
【００２６】
おむつ２０は好ましくはさらに、液体及びその他の体の排泄物の改良された封じ込めを与えるレッグカフス３２を備えている。レッグカフスはまた、レッグバンド、サイドフラップ、バリヤーカフス、又は弾性カフスとも言うことができる。米国特許第３，８６０，００３号は、サイドフラップと１つ又はそれ以上の弾性部材とを有する収縮性脚部開口部を備えて、弾性化レッグカフス（ガスケットカフス）を生じる使い捨ておむつについて記載している。１９９０年３月２０日にＡｚｉｚらに発行された、発明の名称が「弾性化フラップを有する使い捨て吸収体（Ｄｉｓｐｏｓａｂｌｅ  Ａｂｓｏｒｂｅｎｔ  Ａｒｔｉｃｌｅ  Ｈａｖｉｎｇ  Ｅｌａｓｔｉｃｉｚｅｄ  Ｆｌａｐｓ）」という米国特許第４，９０９，８０３号は、脚部の封じ込めを改良するために、「立ち上った」弾性化フラップ（バリヤーカフス）を有する使い捨ておむつについて記載している。１９８７年９月２２日にＬａｗｓｏｎに発行された、発明の名称が「二重カフスを有する吸収体（Ａｂｓｏｒｂｅｎｔ  Ａｒｔｉｃｌｅ  Ｈａｖｉｎｇ  Ｄｕａｌ  Ｃｕｆｆｓ）」という米国特許第４，６９５，２７８号は、ガスケットカフスとバリヤーカフスとを含む二重カフスを有する使い捨ておむつについて記載している。
【００２７】
好ましい実施形態において、レッグカフス３２は、前部ウエスト部３６から股部３７を通って後部ウエスト部３８まで一般に長手方向に延びている。カフス３２は、おむつ２０の１つの端縁５２から反対側端縁５２まで延びていてもよいが、そうである必要はない。さらにカフス３２は、好ましくは構造的に互いに鏡像体であるが、カフス３２は異なった形状であってもよい。いずれの場合も、好ましくはレッグカフス３２は、吸収性集成体２８及び２９の長手方向縁６０から側面方向に外側に延びている。
【００２８】
おむつ２０は好ましくは、尿収集ゾーン９０と便収集ゾーン９２とを有する。尿収集ゾーン９０は、おむつ２０内に入った（ｄｅｐｏｓｉｔ）尿の大部分を収集して封じ込めるためのおむつの部分である。（しかしながら、尿収集ゾーン９０が糞便を収集するか、あるいは尿の大部分よりも少ない量を収集する実施形態も知られている。）従って尿収集ゾーン９０は、一般に前部ウエスト部３６に位置しており、尿道に対するこの開口部の位置と一般に調和している。しかしながら尿収集ゾーン９０は、おむつ２０の前部ウエスト部３６又は後部ウエスト部３８のどの部分を備えていてもよい。尿収集ゾーン９０は、おむつ２０のシャシー２２に分離可能に付着されていてもよく、水洗トイレに流すことができる（ｆｌｕｓｈａｂｌｅ）材料を用いて構成されていてもよい。好ましい実施形態において、尿収集ゾーン９０は、好ましくは第一吸収性集成体２８の少なくとも一部分を備えている。
【００２９】
便収集ゾーン９２は、おむつ２０に付着した便の大部分を収集及び封じ込めるためのおむつ２０の部分である。（しかしながら、便収集ゾーンが尿を収集するか、あるいは便の大部分よりも少ない量を収集する実施形態も知られている。）従って便収集ゾーン９２は、一般に後部ウエスト部３８に位置しており、肛門に対する開口部の位置と一般に調和している。しかしながら便収集ゾーン９２は、おむつ２０の後部ウエスト部３８又は前部ウエスト部３６のどの部分を備えていてもよい。好ましい実施形態において、便収集ゾーン９２は好ましくは、第二吸収性集成体２９の少なくとも一部分を備えている。
【００３０】
便収集ゾーン９２は、尿収集ゾーン９０と同様な材料及び構成を備えていてもよい。あるはまた便収集ゾーン９２は、便の処理又は貯蔵に対して特別な設計及び／又は材料を備えていてもよい。例えば便収集ゾーン９２が低粘度の便（例えば母乳で育てられている乳児からの便）を吸収するためのものであるならば、おむつ２０は、１つ又はそれ以上の開口部を有するトップシート２６を、少なくとも便収集ゾーン９２に備えていてもよい。他方、より高い粘度の便が貯蔵されることになっているならば、十分な空隙率を有する部材をこのゾーンに用いることができる。便収集ゾーン９２は、おむつ２０のシャシー２２に分離可能に付着されていてもよく、水洗トイレに流すことができる材料を用いて構成されていてもよい。便の収集のための吸収性コア及びその他の構造の例は、１９９４年８月３０日にＲｏｅに発行された「低粘度の便物質用の使い捨て吸収体（Ｄｉｓｐｏｓａｂｌｅ  Ａｂｓｏｒｂｅｎｔ  Ａｒｔｉｃｌｅ  Ｆｏｒ  Ｌｏｗ−Ｖｉｓｃｏｓｉｔｙ  Ｆｅｃａｌ  Ｍａｔｅｒｉａｌ）」という米国特許第５，３４２，３３８号に詳細に記載されている。この特許は参照してここに組込まれる。
【００３１】
おむつ２０はまた、排泄物を受入れて封じ込めるためのポケット、排泄物のための空隙を与えるスペーサー、この製品の中で排泄物の動きを制限するためのバリヤー、おむつに付着した排泄物物質を受入れて封じ込める区画又は空隙等、又はこれらのあらゆる組合わせを備えていてもよい。吸収性製品に用いるためのポケット及びスペーサーの例は、次の特許に記載されている。すなわち、１９９６年５月７日にＲｏｅらに発行された、発明の名称が「排除性スペーサーを有するおむつ（Ｄｉａｐｅｒ  Ｈａｖｉｎｇ  Ｅｘｐｕｌｓｉｖｅ  Ｓｐａｃｅｒ）」という米国特許第５，５１４，１２１号；１９９２年１２月１５日にＤｒｅｉｅｒらに発行された、発明の名称が「コアスペーサーを有する使い捨て吸収体（Ｄｉｓｐｏｓａｂｌｅ  Ａｂｓｏｒｂｅｎｔ  Ａｒｔｉｃｌｅ  Ｈａｖｉｎｇ  Ｃｏｒｅ  Ｓｐａｃｅｒｓ）」という米国特許第５，１７１，２３６号；１９９６年３月１４日に公告された、発明の名称が「頂点を備えたポケットカフスを有する吸収体（Ａｂｓｏｒｂｅｎｔ  Ａｒｔｉｃｌｅ  Ｈａｖｉｎｇ  Ｐｏｃｋｅｔ  Ｃｕｆｆ  Ｗｉｔｈ  Ａｎ  Ａｐｅｘ）」というＰＣＴ出願番号第ＷＯ９６／０７３８２号；及び１９９３年１２月３日に公告された、発明の名称が「衛生用吸収体に用いられるスペーサー及びこのようなスペーサーを有する使い捨て吸収体（Ｓｐａｃｅｒｓ  Ｆｏｒ  Ｕｓｅ  Ｉｎ  Ｈｙｇｉｅｎｉｃ  Ａｂｓｏｒｂｅｎｔ  Ａｒｔｉｃｌｅｓ  Ａｎｄ  Ｄｉｓｐｏｓａｂｌｅ  Ａｂｓｏｂｅｎｔ  Ａｒｔｉｃｌｅｓ  Ｈａｖｉｎｇ  Ｓｕｃｈ  Ｓｐａｃｅｒ）」というＰＣＴ出願番号第ＷＯ９３／２５１７２号である。区画又は空隙の例は、次の特許に開示されている。すなわち、１９９０年１１月６日にＫｈａｎに発行された、発明の名称が「使い捨て便用区画を有するおむつ（Ｄｉｓｐｏｓａｂｌｅ  Ｆｅｃａｌ  Ｃｏｍｐａｒｔｍｅｎｔｉｎｇ  Ｄｉａｐｅｒ）」という米国特許第４，９６８，３１２号；１９９１年２月５日にＦｒｅｅｌａｎｄに発行された、発明の名称が「排泄物物質の隔離のための弾性ライナーを有する吸収体（Ａｂｓｏｒｂｅｎｔ  Ａｒｔｉｃｌｅ  Ｗｉｔｈ  Ｅｌａｓｔｉｃ  Ｌｉｎｅｒ  Ｆｏｒ  Ｗａｓｔｅ  Ｍａｔｅｒｉａｌ  Ｉｓｏｌａｔｉｏｎ）」という米国特許第４，９９０，１４７号；１９９１年１１月５日にＨｏｌｔらに発行された、発明の名称が「使い捨ておむつ（Ｄｉｓｐｏｓａｂｌｅ  Ｄｉａｐｅｒｓ）」という米国特許第５，０６２，８４０号；及び１９９３年１２月１４日にＦｒｅｅｌａｎｄに発行された、発明の名称が「使い捨て吸収体用の三区画トップシート及びこのような三区画トップシートを有する使い捨て吸収体（Ｔｒｉｓｅｃｔｉｏｎ  Ｔｏｐｓｈｅｅｔｓ  Ｆｏｒ  Ｄｉｓｐｏｓａｂｌｅ  Ａｂｓｏｒｂｅｎｔ  Ａｒｔｉｃｌｅｓ  Ａｎｄ  Ｄｉｓｐｏｓａｂｌｅ  Ａｂｓｏｒｂｅｎｔ  Ａｒｔｉｃｌｅｓ  Ｈａｖｉｎｇ  Ｓｕｃｈ  Ｔｒｉｓｅｃｔｉｏｎ  Ｔｏｐｓｈｅｅｔｓ）という米国特許第５，２６９，７５５号である。横断方向バリヤーを有するおむつの例は、１９９４年７月７日に公告された、発明の名称が「立ち上った横断方向の仕切りを有する吸収体（Ａｂｓｏｒｂｅｎｔ  Ａｒｔｉｃｌｅ  Ｈａｖｉｎｇ  Ａｎ  Ｕｐｓｔａｎｄｉｎｇ  ���ｒａｎｓｖｅｒｓｅ  Ｐａｒｔｉｔｉｏｎ）」というＰＣＴ出願番号第ＷＯ９４／１４３９５号に記載されている。これらの引例の各々は参照してここに組込まれる。
【００３２】
吸収性集成体２８及び２９は、一般に圧縮性があり、形に沿いやすく、装着者の皮膚に刺激を与えず、液体例えば尿及びその他のいくつかの体の排泄物を吸収して保持しうるあらゆる吸収性手段を備えていてもよい。これらの吸収性集成体は、多様なサイズ及び形状（例えば長方形、砂時計形、「Ｔ」形、非対称形等）で、使い捨ておむつ及びその他の吸収体に通常用いられている非常に様々な液体吸収性材料、例えば一般にエアフェルトと呼ばれている微粉砕木材パルプを備えていてもよい。その他の適切な吸収性材料の例には、クレープセルロースワッディング；コフォームを含むメルトブローンポリマー；化学的剛化、変性、又は架橋セルロース繊維；ティシューラップ及びティシューラミネートを含むティシュー；吸収性フォーム；吸収性スポンジ；超吸収性ポリマー；吸収性ゲル化材料；又はその他のあらゆる既知の吸収性材料又は材料の組合わせが含まれる。
【００３３】
吸収性集成体の形状及び構成もまた様々なものであってもよい（例えば１つ又は複数の吸収性コア又はその他の吸収構造は、様々なキャリパーゾーン、親水性勾配、超吸収性勾配、又は比較的低い平均密度及び比較的低い平均坪量の受入れゾーンを有していてもよく；あるいは１つ又はそれ以上の層又は構造を備えていてもよい）。しかしながら吸収性集成体の総吸収能力は、おむつ２０の設計負荷及び意図された用途に適合したものであるべきである。
【００３４】
第一吸収性集成体２８及び第二吸収性集成体２９は、同じ一般的材料及び構成を備えていてもよく、あるいは異なる設計であってもよい。例えば尿の収集のために好ましい吸収性集成体は、尿をもっともよく吸収して封じ込めるような特別な形状であるのに、便収集のために好ましい吸収性集成体は、糞便を効果的に封じ込めて処理するような設計にされている。第一吸収性集成体及び第二吸収性集成体は、サイズ及び形状が非常に似ている吸収性コアを備えていてもよく、あるいは吸収性コアは異なるサイズ又は形状であってもよく、異なる材料を含んでいてもよい。さらには各吸収性集成体は、追加要素、例えばトップシート、バックシート、受入れゾーン、バリヤー等を含んでいてもよい。
【００３５】
第一吸収性集成体２８及び第二吸収性集成体２９は、長手方向に間隔があけられていてもよく、互いに境を接していてもよく、あるいは（例えば図３に示されているように）重なり合った部分を有していてもよい。（ここで用いられている用語「長手方向に間隔があけられている」は、要素が、おむつ２０の長手方向中心線１００と好ましくは平行な方向に間隔があけられている、要素間の相対的間隔あけのことを言う。）第一吸収性集成体２８と第二吸収性集成体２９との間の長手方向の間隔は、図２に示されているような文字Ｄによって示されているものに近い。吸収性集成体２８と吸収性集成体２９との間の間隔Ｄは、使用中のある特定の時点において特別な装着者に対して最良のフィットと封じ込め特徴とを与えるために、介護者によって調整及び再調整されてもよい。例えば第一吸収性集成体２８は、尿を吸収して封じ込めるのに理想的な位置に来るように調整され、第二吸収性集成体２９は、糞便を吸収するため及び／又は封じ込めるのに理想的な位置に来るように調整されてもよい。
【００３６】
１つの好ましい実施形態において、吸収性集成体間の間隔Ｄは、平均的な中程度のサイズ（約１２〜約２５ポンド）の赤ちゃんの場合、少なくとも約−１ｃｍ（重なり合う）〜約１ｃｍのどこで調整されてもよい。しかしながら大人の失禁用衣服は、一般的にこれより大きいシャシーによって、吸収性集成体の間隔あけについてははるかに大きい範囲を有していてもよい。（例えば失禁用衣服は、少なくとも約−２０ｃｍ〜約２０ｃｍにあるいずれかの吸収性集成体間の間隔を有していてもよい。）より好ましくは第一吸収性集成体２８と第二吸収性集成体２９との間の間隔あけＤは、少なくとも約−５ｃｍ〜約５ｃｍ、あるいは少なくとも約−１０ｃｍ〜約１０ｃｍで調整することができる。当然ながら第一吸収性集成体２８は、間隔Ｄが、０ｃｍから約−１０ｃｍ〜約１０ｃｍにあるいずれか、あるいは約−２０ｃｍ〜約２０ｃｍにあるいずれかで調整しうるように、第二吸収性集成体２９と境を接するように配置されてもよい。従って間隔あけの範囲は、意図された用途に応じて様々であってもよく、間隔あけの範囲が、境を接するものから、プラスの間隔あけまで、あるいは境を接するものから重なり合った間隔あけまでの様々な範囲の実施形態を含んでいてもよい。その他の実施形態は、プラスの間隔範囲においてのみ調整しうるものであってもよく（すなわち集成体は常に間隔があけられている）、あるいはマイナスの間隔範囲においてのみ調整しうるものであってもよい（すなわち集成体は、常に少なくとも一部重なり合っている）。
【００３７】
図１、４、及び５〜７を参照すると、おむつ２０は、好ましくは一般におむつ２０の前部の方の位置にある第一吸収性集成体２８、おむつ２０の後部の方の位置にある第二吸収性集成体２９、及び第一吸収性集成体２８と第二吸収性集成体２９との両方と接合されるか又は機能的に（ｏｐｅｒａｔｉｖｅｌｙ）組合わされた調整部材８０を備えている。
【００３８】
吸収性集成体として用いるための吸収構造の例は、次の特許に記載されている。すなわち、１９８６年９月９日にＷｅｉｓｍａｎらに発行された、発明の名称が「高密度吸収構造（Ｈｉｇｈ−Ｄｅｎｓｉｔｙ  Ａｂｓｏｒｂｅｎｔ  Ｓｔｒｕｃｔｕｒｅｓ）」という米国特許第４，６１０，６７８号；１９８７年６月１６日にＷｅｉｓｍａｎらに発行された、発明の名称が「二重層コアを有する吸収体（Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ）」という米国特許第４，６７３，４０２号；１９８９年１２月１９日にＡｎｇｓｔａｄｔに発行された、発明の名称が「ダスチング層を有する吸収性コア（Ａｂｓｏｒｂｅｎｔ  Ｃｏｒｅ  Ｈａｖｉｎｇ  Ａ  Ｄｕｓｔｉｎｇ  Ｌａｙｅｒ）」という米国特許第４，８８８，２３１号；及び１９８９年５月３０日にＡｌｅｍａｎｙらに発行された、発明の名称が「比較的低い密度及び比較的低い坪量の受入れゾーンを有する高密度吸収性部材（Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ）」という米国特許第４，８３４，７３５号である。これらの特許のおのおのは参照してここに組込まれる。適切な吸収構造の実施形態の例は、Ｈｅｒｒｏｎらに発行された米国特許第５，１３７，５３７号に開示されている。
【００３９】
吸収性集成体２８及び２９を一般に直接又は間接に接合する調整部材８０は、第一吸収性集成体２８と第二吸収性集成体２９との相対的間隔あけ及び配向を調整するための手段を与える。（いくつかの好ましい実施形態において、調整部材８０は、第一吸収性集成体２８又は第二吸収性集成体２９のどちらかと接合されていてもよい。しかしながら調整部材８０は、トップシート２４、バックシート２６、トップシート２４とバックシート２６との両方、あるいはおむつ２０のその他のあらゆる要素に接合されていてもよい。）調整部材８０によって、介護者は特定の装着者の体形（ａｎａｔｏｍｙ）に基づいて尿収集ゾーン９０と便収集ゾーン９２との改良された相対的長手方向の配置を行なうことができるようになる。（ここで用いられている用語「長手方向に配置する」は、おむつ２０の長手方向中心線１００に沿って、あるいは別の同様な位置の一般に平行な軸に沿う特定の１つ又は複数の要素の位置のことを言う。）さらには調整部材８０によって、介護者が、尿収集ゾーン９０と便収集ゾーン９２との正しい相対配置を見失うことなく、おむつ２０のフィット及び全体的な長さを変えることができるようになる。前記のように、このことは、同じ一般的サイズ及び体重を有する人間の間での特定の大きさにおける有意なバリエーションによって有益である。特に乳幼児の場合、おむつ２０のサイズ及び尿収集ゾーン９０と便収集ゾーン９２との互いに対する配向を変えうることは、乳幼児は急速に体のサイズ及び体重が変わるので、また同じ年齢の赤ちゃん間にまったく極端な差異があるので重要である。
【００４０】
好ましい実施形態用において、調整部材８０は、特定の範囲全体において「連続的調整」を与える。（ここで用いられている用語「連続的調整」は、予め決められている１つ又は複数の経路に沿う無限数の「セッティング」又は形状において、おむつの要素が互いに対して配置されうることを言う。）例えば調整部材８０は、ある範囲（例えば−２０ｃｍ〜２０ｃｍ）内の吸収性集成体間の様々な間隔（又はオーバーラップ）を有する無限数の形状を与えることができる。あるいはまた、調整部材８０は、これが断続的に調整されうる限定数の「セッティング」又は位置を有しうる。この種類の断続例は、例えば吸収性集成体が境を接しているか、あるいは予め決められている距離だけ間隔があけられている、２つだけのセッティング又は位置を有する調整部材であろう。おむつが調整されうる有効なセッティング又は位置の数を増加させることによって、介護者の柔軟性を増加させることが一般に好ましい。
【００４１】
調整部材８０は、単一要素であってもよく、あるいは分れた又は接合された要素をいくつ含んでいてもよく、吸収性又は非吸収性材料を含んでいてもよい。ここで用いられている用語「吸収性」は、体内からの液体を受入れて封じ込める材料のことを言う。用語「非吸収性」は、体内からの液体を受入れて封じ込めず、むしろ疎水性である傾向があり、及び／又はこれらを封じ込めずに液体がこれらを通過するようにさせる材料のことを言う。
【００４２】
調整部材８０は、弾性、非弾性、又は可逆性非弾性延伸特性、又は前記の組合わせを有していてもよい。ここで用いられている用語「弾性」、「弾性的延伸性」、及び「エラストマー性」は、延伸された場合、要素を実質的にそのもとの大きさ及び形状に戻す傾向がある戻り力（ｒｅｔｕｒｎ  ｆｏｒｃｅ）を維持する要素のことを言う。好ましい弾性調整部材８０は、この技術で知られているあらゆる弾性、エラストマー性、又は弾性的延伸性材料を備えていてもよく、これにはエラストマーストランド、フィルム、不織布材料、織布材料、ラミネート、スクリム、スプリング、フォーム、接着剤等、又はこれらのあらゆる組合わせが含まれるが、これらに限定されるわけではない。
【００４３】
調整部材８０は、バックシート２６のすべて又は一部を備えていてもよい。１つの好ましい実施形態において、図３に示されているように、バックシート２６は、弾性的延伸性がある少なくとも一部分８６を含んでいる。弾性的延伸性部分８６は、好ましくは少なくとも一部、吸収性集成体をバックシート２６に接合させる接着手段７０の長手方向に内側に位置する。バックシート２６の延伸性部分８６は、調整部材８０であってもよく、あるいは多数要素調整部材８０における１つの要素であってもよい。
【００４４】
調整部材８０が相対的に「非弾性」である実施形態において、調整部材８０が伸び又は収縮力に付された時、戻り力はほとんど又はまったく発生しない。従って調整部材８０は、力が除去された時、そのもとの大きさ又は形状まで戻りたいという傾向がなく、むしろその新しい形又は形状を維持する傾向がある。１つの実施形態において、第一吸収性集成体２８及び第二吸収性集成体２９は、例えばマサチューセッツ州ウオルポールのインターナショナル・ペーパー・カンパニーのベラテック・ノンウオブン・グループ（Ｖｅｒａｔｅｃ  Ｎｏｎｗｏｖｅｎ  Ｇｒｏｕｐ）製のＰ−８又はＰ−１１という名称のカードポリプロピレン不織布のような非弾性的延伸性材料、あるいは吸収性集成体を形づくるように調整しうるその他のあらゆる非延伸性材料によって接合されてもよい。
【００４５】
非弾性調整部材８０は、「可逆性」であってもよい。ここで用いられているような用語「可逆性」は、この構造がひとたび延伸されるか、収縮されるか、又は調整されたら、これは結果としてそのもとの延伸、収縮、又は調整を生じる力の一般に反対の力を加えた時に、実質的にそのもとの大きさ又は形状に復元されうることを意味する。１つの実施形態において、調整部材８０は、第一吸収性集成体２８と第二吸収性集成体２９とを接合する、比較的非弾性の薄いワイヤー様要素を備えている。（ここで用いられている用語「ワイヤー様」は、調整部材８０が備えていてもよい材料を限定する意図はなく、むしろこの部材の全体の長さよりも相対的に短い横断面を有する調整部材８０を有する本発明の１つの実施形態を記載するために用いられている。）その他の実施形態において、調整部材８０は、延伸又は収縮されうる非弾性波形材料等を含んでいてもよい。
【００４６】
図５に示されているように、調整部材８０は、おむつ２０の一般に長手方向に張力を加えた時に、おむつ２０の伸び、及び第一吸収性集成体２８と第二吸収性集成体２９との分離を可能にする。一般に同じ軸に沿う別の力は、結果としてこの構造のもとの形状への復元、又は調整部材８０又はおむつ２０のその他のあらゆる要素の特徴によってのみ限定されるその他のあらゆる形状への復元を生じるであろう。図４及び５に示されているように、調整部材８０は、吸収性集成体間の調整を生じるために、なんらかの方法で曲がったり変形したりする。しかしながら、調整部材が曲がらず、変形もしないようなこれに代る実施形態も考えられる。
【００４７】
スライド可能な調整部材８０を有する本発明の実施形態の１つの例は、図６及び７に示されているように、調整を与えるためには必ずしも変形しない。（図６は、図７に示されているものよりも延伸された形状にあるおむつ２０を示している。）調整部材８０は、第一吸収性集成体２８か第二吸収性集成体２９かのどちらかと、又はその両方とスライド可能に接合されていてもよい。好ましい実施形態において、調整部材８０は、吸収性集成体の少なくとも１つと開口的に（ａｐｅｒｔｕｒｅｌｙ）組合わされている少なくとも１つのスライド可能な部材８２を含んでいる。他の好ましい実施形態において、チャンバ８４は、スライド可能な部材８２がその中で動くように備えられている。スライド可能な部材８２が、吸収性集成体の１つ又はこの吸収性集成体の中のチャンバの中にスライドして入らず、むしろおむつの別の要素の中で又はこれに沿ってスライドする実施形態も考えられる。
【００４８】
スライド可能な部材８２、チャンバ８４、又はその他のあらゆる機能的に組合わされた構造は、もう一方の構造に対してスライド可能な部材の動きを抑制するための１つ又は複数の要素を含んでいてもよい。１つの非限定的な実施例は、相補的隆起部をスライドして通過する隆起部を有するスライド可能な部材、あるいはこれらの吸収性集成体２８及び２９が、比較的大きい範囲の調整性において断続的に調整可能であるように、チャンバ８４と組合わされているその他の適切な構造であろう。（ここで用いられている用語「断続的に調整しうる」は、いくつかの予め決められているセッティング又は形状が、この製品のいくつかの部分に力を加えることによって得られるように、要素が互いに対して配置されうることを言う。これは、前記のように連続的に調整しうる実施形態において有効な無限数の形状とは対照的である。）
別の好ましい実施形態において、おむつ２０は、互いに重なり合い、かつこれらのゾーン間に配置されている１つ又はそれ以上の比較的低い摩擦スリップ要素４９を有する尿収集ゾーン９０及び便収集ゾーン９２を備えている。好ましいスリップ要素４９の一例は、プラスチックフィルム、例えばオハイオ州シンシナティ（Ｃｉｎｃｉｎｎａｔｉ，Ｏｈｉｏ）のクロペイ社（Ｃｌｏｐａｙ  Ｃｏｒｐｏｒａｔｉｏｎ）によって製造されている１４０１という名称の１．０ミルポリプロピレンフィルムを備えている。スリップ要素４９は好ましくは、これらが互いに対してより容易に調整されるように、吸収性集成体の重なり合った部分間の摩擦を減少させる。しかしながら、吸収性集成体が少なくとも１つの方向において調整される時に、１つ又は複数のスリップ要素４９が減少された摩擦を生じ、吸収性集成体が別の方向において調整されている時に、より大きい摩擦を生じる実施形態も考えられる。従ってこれらのスリップ要素４９は、ひとたび互いに対して調整されたら、吸収性集成体の形状を維持するのを助けるのに用いることができる。要素間の摩擦は一般に材料依存性であるので、スリップ要素が必要ではなく、望まれさえしないような実施形態も考えられる。
【００４９】
前記実施形態のどれか、あるいは本発明の範囲内にあるその他のあらゆる実施形態はまた、吸収性集成体２８及び２９及び／又は尿収集ゾーン９０及び便収集ゾーン９２を互いに対して特別な関係に固定する調整保持部材９８を含んでいてもよい。保持部材９８は、おむつ、吸収性集成体、収集ゾーン、又は調整部材を構成する要素の１つ又はそれ以上のあらゆる部分を含んでいてもよい。例えば保持部材９８は、調整後に吸収性集成体２８及び２９を定位置に保持するために摩擦を利用する、前記のようなスリップ要素４９を含んでいてもよい。しかしながらさらには、おむつ２０のその他の要素から分れていてこれに接合されているその他のあらゆる保持部材も用いることができる。適切な保持部材９８には、接着剤；機械的留め具；ベルト；バックル；ピン；タイ；マグネット；電子；歯状部又はこれらのあらゆる組合わせ、又はその他の既知の留め具装置及び／又は保持装置が含まれる。保持部材９８はまた、おむつ２０の外側表面上でその他のあらゆる要素間に配置されていてもよい。１つの実施形態において、図８に示されているように、保持装置９８は、これらが配置されたらこれらの吸収性集成体２８及び２９を離れた位置に保持する歯状部９６を含んでいる。（ここで用いられている「歯状部」は、この保持部材から延びているあらゆる単一構造又は多構造を含む。）この歯状部は、保持装置９８の基底部から垂直に延びていてもよく、あるいはあらゆる角度にあってもよい。この歯状部はまた、あらゆる適切な長さ、形状、又は硬度等を有していてもよい。
【００５０】
おむつ２０はまた、図４及び５に示されているように、立ち上った横断方向バリヤー７５を備えていてもよく、これは排泄物が、後部ウエスト部３８からおむつ２０の前部ウエスト部３６まで、あるいはその反対に移動するのを妨げる。横断方向バリヤー７５は、好ましくはシャシー２２に接合され、長手方向中心線１００に隣接した位置にある。但しその他の形状も考えられる。適切な横断方向バリヤーのその他の例は、次の特許に記載されている。すなわち、１９９４年１１月３０日にＤｒｅｉｅｒらの名前で出願された、発明の名称が「多数の効率的高さの横断方向の仕切りを有する吸収体（Ａｂｓｏｒｂｅｎｔ  Ａｒｔｉｃｌｅ  Ｈａｖｉｎｇ  Ｍｕｌｔｉｐｌｅ  Ｅｆｆｅｃｔｉｖｅ  Ｈｅｉｇｈｔ  Ｔｒａｎｓｖｅｒｓｅ  Ｐａｒｔｉｔｉｏｎ）」という米国特許出願番号第０８／３４７，０２６号；及び１９９４年７月７日にＦｒｅｅｌａｎｄらの名前で公告された、発明の名称が「立ち上った横断方向の仕切りを有する吸収体（Ａｂｓｏｒｂｅｎｔ  Ａｒｔｉｃｌｅ  Ｈａｖｉｎｇ  Ａｎ  Ｕｐｓｔａｎｄｉｎｇ  Ｔｒａｎｓｖｅｒｓｅ  Ｐａｒｔｉｔｉｏｎ）」というＰＣＴ特許第ＷＯ９４／１４３９５号である。前記参考文献はどちらも参照してここに組込まれる。
【００５１】
おむつ２０は好ましくは、ウエスト部の１つ、好ましくは後部ウエスト部３８を装着者の背中の下に配置し、おむつ２０の残りの部分を装着者の脚の間に引張って装着者に装着される。もう一方のウエスト部、好ましくは前部ウエスト部３６は、装着者の前部に配置される。ついでおむつを装着させる人は、前記ウエスト部３６と後部ウエスト部３８とが重なり合った形状になるように、サイドパネル３０を装着者の周りに巻付ける。サイドパネル３０は一般的に、装着者のサイズ及び形状に合うように、この操作の間延伸され、張力が掛けられる。留め具装置はサイド閉鎖を実施するために固定される。
【００５２】
もう１つの実施形態において、本発明の吸収体は、装着者の下着、外側カバー９４等に配置されるためのインサート９５であってもよい。従ってインサート９５は、一般にパンツの形態を取るものではなく、むしろこのインサート９５を装着者の周りの定位置に保持するパンツ又はその他の構造と共に用いられるものである。外側カバー９４に配置されたインサート９５の例は、図９に示されている。吸収性インサート９５は、第一吸収性集成体２８と第二吸収性集成体２９とを含んでいる。第一吸収性集成体及び第二吸収性集成体は、少なくとも１つの調整部材８０によって直接的又は間接的に接合されている。１つ又は複数の調整部材８０は、前記調整部材構造のいずれか１つ又はそれ以上を含んでいてもよい。さらには吸収性集成体２８及び２９は、前記形状のどれか、例えば重なり合った形状又は分れた形状のどれかとして配置されていてもよい。吸収性インサート９５はまた、使用中にパンツ又は外側カバー９４の定位置にインサート９５を保持するための１つ又はそれ以上の接着要素９９を含んでいてもよい。接着要素９９は、接着剤、凝集剤、フック、スナップ、バックル、ボタン、タイ、マグネット、電子、及び／又は吸収体を下着に接着させるためのその他のあらゆる既知の手段を備えていてもよい。
【００５３】
本発明の特別な実施形態が例証され、記載されてはいるが、様々なその他の変更及び修正も、本発明の精神及び範囲から逸脱することなくなされることは当業者には明白であろう。従ってこの発明の範囲内にあるこのようなすべての変更及び修正を添付クレームにおいてカバーするものとする。
【図面の簡単な説明】
明細書は、本発明と見做される主題を特に指摘し、明確にクレームする特許請求の範囲で結論付けられてはいるが、本明細書は添付図面と関連して考慮される次の記載からよりよく理解されると考えられる。図面において、同様な記号は実質的に同一の要素を示すために用いられている。
【図１】  図１は、本発明の吸収体の実施形態の平面図であり、いくつかの部分が下部構造を見せるために切り取られており、おむつの衣服側表面が見る人の方に向けられている。
【図２】  図２は、図１の断面線２−２に沿う拡大断片横断面図である。
【図３】  図３は、本発明のもう１つの実施形態の拡大断片横断面図である。
【図４】  図４は、本発明の吸収体の実施形態の平面図であり、いくつかの部分が下部構造を見せるために切り取られており、おむつの衣服側表面が見る人の方に向けられている。
【図５】  図５は、本発明の吸収体の実施形態の平面図であり、いくつかの部分が下部構造を見せるために切り取られており、おむつの衣服側表面が見る人の方に向けられている。
【図６】  図６は、本発明のもう１つの実施形態の平面図であり、いくつかの部分が下部構造を見せるために切り取られており、おむつの衣服側表面が見る人の方に向けられている。
【図７】  図７は、本発明のもう１つの実施形態の平面図であり、いくつかの部分が下部構造を見せるために切り取られており、おむつの衣服側表面が見る人の方に向けられている。
【図８】  図８は、図７の断面線８−８に沿う拡大断片横断面図である。
【図９】  図９は、外側カバー９４に配置されたインサート９５の例を示す図である。
【図１】
0004439725.tif 000002
【図２】
0004439725.tif 000003
【図３】
0004439725.tif 000004
【図４】
0004439725.tif 000005
【図５】
0004439725.tif 000006
【図６】
0004439725.tif 000007
【図７】
0004439725.tif 000008
【図８】
0004439725.tif 000009
【図９】
0004439725.tif 000010